(57)【要約】【課題】チャネル品質の時間変動、周波数変動に応じて、フィードバック信号を効率良く割り当てる技術を提供する。【解決手段】信号割当装置１０は、フィードバック信号によって制御される無線通信システムにおいて、移動局端末の推定ドップラ周波数、コヒーレンス時間決定用の係数、フィードバック信号に割り当てるリソースブロックの上限値およびフィードバック信号に使われるサイクリックシフトのマージンを取得する入力情報制御部１００と、入力情報制御部によって取得された推定ドップラ周波数、係数、上限値およびマージンに応じて、フィードバック信号の送信周期、フィードバック信号に割り当てる送信サブフレーム（フィードバック信号送信サブフレーム）のオフセットおよびサイクリックシフトのインデックスをフィードバック信号に係る送信パラメータとして決定するフィードバック信号割当決定部１１０とを備える。【選択図】図１
2011015023.tif 000002
【特許請求の範囲】
【請求項１】
フィードバック信号によって制御される無線通信システムにおいて、
移動局端末の推定ドップラ周波数、コヒーレンス時間決定用の係数、前記フィードバック信号に割り当てるリソースブロックの上限値および前記フィードバック信号に使われるサイクリックシフトのマージンを取得する入力情報制御部と、
前記入力情報制御部によって取得された前記推定ドップラ周波数、前記係数、前記上限値および前記マージンに応じて、前記フィードバック信号の送信周期、前記フィードバック信号に割り当てる送信サブフレームのオフセットおよび前記サイクリックシフトのインデックスを前記フィードバック信号に係る送信パラメータとして決定するフィードバック信号割当決定部と
を備えたことを特徴とする信号割当装置。
【請求項２】
前記フィードバック信号割当決定部は、
ＰＵＣＣＨを用いたＣＱＩ／ＲＩ／ＰＭＩの送信制御周期毎に、前記送信パラメータを決定することを特徴とする請求項１に記載の信号割当装置。
【請求項３】
前記フィードバック信号割当決定部は、
移動局端末をグループ化し、利用可能なサイクリックシフトを各グループに配分することによって、グループ毎に各グループに含まれる移動局端末について前記送信パラメータを決定することを特徴とする請求項１に記載の信号割当装置。
【請求項４】
前記フィードバック信号割当決定部は、
前記フィードバック信号の送信に必要なリソース数を算出し、前記必要なリソース数が利用可能上限値を超えないように、前記送信パラメータを決定することを特徴とする請求項１に記載の信号割当装置。
【請求項５】
前記フィードバック信号割当決定部は、
前記フィードバック信号であるＲＩの送信周期を決定するための係数に応じて、前記送信パラメータを決定することを特徴とする請求項１に記載の信号割当装置。
【請求項６】
前記フィードバック信号割当決定部は、
前記推定ドップラ周波数および前記係数に基づいて、前記フィードバック信号の送信周期の初期値を決定することを特徴とする請求項１に記載の信号割当装置。
【請求項７】
前記フィードバック信号割当決定部は、
最小の前記サイクリックシフトのインデックスにおいて送信可能なサブフレームのうち最小の前記送信サブフレームのオフセットを決定し、最小の前記サイクリックシフトのインデックスにおいて前記送信サブフレームのオフセットをインクリメントして、送信可能なサブフレームの前記オフセットを前記オフセットの昇順に順次決定し、最小の前記サイクリックシフトのインデックスにおいて送信可能なサブフレームの前記オフセットがなくなったときは、前記サイクリックシフトのインデックスをインクリメントして、インクリメント後の前記サイクリックシフトのインデックスにおいて送信可能なサブフレームの前記オフセットを同様に順次決定することによって、前記サイクリックシフトのインデックスの昇順かつ前記オフセットの昇順に、前記サイクリックシフトのインデックスと前記送信サブフレームのオフセットとを順次決定することを特徴とする請求項１に記載の信号割当装置。
【請求項８】
前記フィードバック信号割当決定部は、
各移動局端末の前記フィードバック信号の送信周期の初期値の昇順に、移動局端末をピックアップし、ピックアップした移動局端末を対象端末とし、前記サイクリックシフトのインデックスと前記送信サブフレームのオフセットとを決定することを特徴とする請求項６に記載の信号割当装置。
【請求項９】
前記フィードバック信号割当決定部は、
ＭＩＭＯサポートしない移動局端末に対し、前記フィードバック信号であるＣＱＩ／ＰＭＩを送信するため第１のオフセットを決定し、ＭＩＭＯサポートする移動局端末に対し、第１のオフセットに加え、前記フィードバック信号であるＲＩを送信するため第２のオフセットを決定することを特徴とする請求項１に記載の信号割当装置。
【請求項１０】
前記フィードバック信号割当決定部は、
前記必要なリソース数が利用可能上限値を超える場合、ＭＩＭＯサポートする移動局端末に対し、前記フィードバック信号であるＲＩの送信周期を変更することによって、前記送信パラメータを決定することを特徴とする請求項４に記載の信号割当装置。
【請求項１１】
前記フィードバック信号割当決定部は、
前記フィードバック信号の送信周期、前記オフセットおよび前記インデックスを要素とする集合を生成し、前記集合から１又は２の前記要素の組合せを選択することによって、前記送信パラメータを決定することを特徴とする請求項１に記載の信号割当装置。
【請求項１２】
前記フィードバック信号割当決定部は、
前記インデックスを第１キー、前記オフセットを第２キーとして、前記第１キーの昇順および前記第２キーの昇順に順次、前記集合から１又は２の前記要素の組合せを選択することを特徴とする請求項１１に記載の信号割当装置。
【請求項１３】
前記フィードバック信号割当決定部は、
制御下に存在する既存の移動局端末用の前記送信パラメータを決定しているときに、新たな移動局端末が制御下に加わった場合は、既存の移動局端末用の前記送信パラメータに加えて新たな移動局端末用の前記送信パラメータも決定することを特徴とする請求項１から請求項１２に記載の信号割当装置。
【請求項１４】
フィードバック信号によって制御される無線通信システムにおいて、
移動局端末の推定ドップラ周波数、コヒーレンス時間決定用の係数、前記フィードバック信号に割り当てるリソースブロックの上限値および前記フィードバック信号に使われるサイクリックシフトのマージンを取得する入力情報手段と、
前記入力情報制御手段によって取得された前記推定ドップラ周波数、前記係数、前記上限値および前記マージンに応じて、前記フィードバック信号の送信周期、前記フィードバック信号に割り当てる送信サブフレームのオフセットおよび前記サイクリックシフトのインデックスを前記フィードバック信号に係る送信パラメータとして決定するフィードバック信号割当決定手段と
を有することを特徴とする信号割当方法。
【請求項１５】
無線通信システムを制御するフィードバック信号を割り当てる信号割当装置のコンピュータに、
移動局端末の推定ドップラ周波数、コヒーレンス時間決定用の係数、前記フィードバック信号に割り当てるリソースブロックの上限値および前記フィードバック信号に使われるサイクリックシフトのマージンを取得する入力情報制御ステップと、
前記入力情報制御ステップによって取得された前記推定ドップラ周波数、前記係数、前記上限値および前記マージンに応じて、前記フィードバック信号の送信周期、前記フィードバック信号に割り当てる送信サブフレームのオフセットおよび前記サイクリックシフトのインデックスを前記フィードバック信号に係る送信パラメータとして決定するフィードバック信号割当決定ステップと
を実行させることを特徴とするプログラム。
【発明の詳細な説明】
【技術分野】
【０００１】
本発明は、信号割当装置、信号割当方法およびプログラムに関する。
【背景技術】
【０００２】
現在、標準化団体３ＧＰＰ（3rd Generation Partnership Project）において、ＬＴＥ（Long Term Evolution）と呼ばれて標準化が進められている。ＬＴＥは、下り１００Ｍｂｐｓ以上／上り５０Ｍｂｐｓ以上の高速通信の実現を目指したもので、上りリンクと下りリンクが周波数分割複信および時間分割複信に対応する。
【０００３】
上りリンクと下りリンクが周波数分割複信する無線通信システムでは、移動局端末（以下、「ＵＥ」とも表記する）が上りリンクの制御チャネルを利用して、下りリンクのチャネル品質（ＣＱＩ：channel quantity indicator）を基地局に通知する。また、複数物理送信アンテナが採用されるＭＩＭＯ（Multiple Input Multiple Output）無線システムでは、ＣＱＩとともに、送信用Ｐｒｅｃｏｄｅｒ情報、Ｉｎｄｉｃａｔｏｒ（ＰＭＩ）および送信ストリーム数に関する情報（ＲＩ：Rank Indicator）を基地局にフィードバックする。
【０００４】
非特許公報文献１および非特許公報文献２によれば、ＬＴＥにおいて、基地局にフィードバックされるＣＱＩ／ＰＭＩ／ＲＩ信号は、ｐｅｒｉｏｄｉｃとａｐｅｒｉｏｄｉｃの２種類である。ｐｅｒｉｏｄｉｃ  ＣＱＩ／ＰＭＩ／ＲＩフィードバック信号は、ＰＵＣＣＨ（Physical Uplink Control Channel）を利用して基地局にフィードバックされ、ａｐｅｒｉｏｄｉｃ  ＣＱＩ／ＰＭＩ／ＲＩフィードバック信号は、ＰＵＳＣＨ（Physical Uplink Shared Channel）を利用して基地局にフィードバックされる。但し、ｐｅｒｉｏｄｉｃＣＱＩ／ＰＭＩ／ＲＩをフィードバックするサブフレームにおいて、ＰＵＳＣＨの割当がある場合、ＰＵＳＣＨを利用してｐｅｒｉｏｄｉｃ  ＣＱＩ／ＰＭＩ／ＲＩフィードバック信号を基地局にフィードバックされる。
【０００５】
ＬＴＥにおけるＣＱＩ／ＰＭＩ／ＲＩフィードバック信号に関連する情報を纏めると以下のようになる。
１.ＵＥ毎のＣＱＩ／ＰＭＩ／ＲＩフィードバック信号に関連する情報（送信パラメータ、送信制御情報とも称する）。
（１）Ｎｐ（ｕ）：ＵＥｕ（ｕは、ＵＥのインデックス）のＣＱＩ／ＰＭＩ送信周期。ＬＴＥがサポートするＣＱＩ／ＰＭＩ送信周期は２ｍｓ、５ｍｓ、１０ｍｓ、２０ｍｓ、４０ｍｓ、８０ｍｓ、１６０ｍｓである。
（２）Ｎｏｆｆｓｅｔ，ＣＱＩ（ｕ）：ＵＥｕのＣＱＩ／ＰＭＩ送信時間オフセット（Offset）。０〜Ｎｐ（ｕ）−１である。
（３）ｎＰＵＣＣＨ（２）（ｕ）：ＣＱＩ／ＰＭＩ／ＲＩフィードバック信号をＰＵＣＣＨでフィードバックする際の、ＵＥｕのＰＵＣＣＨ  ｆｏｒｍａｔ２のサイクリックシフト（Cyclic shift）のＩＤ。
（４）ＭＲＩ（ｕ）：ＵＥｕのＲＩ送信周期係数。ＲＩ送信周期＝ＭＲＩ（ｕ）×Ｎｐ（ｕ）。ＭＩＭＯサポートするＵＥのみに関係する。
（５）Ｎｏｆｆｓｅｔ，ＲＩ（ｕ）：ＵＥｕのＣＱＩ／ＰＭＩ送信サブルレームに対するＵＥｕのＲＩ送信サブフレームのオフセット。ＭＩＭＯサポートするＵＥのみに関係する。
（６）Ｆａｐｅｒｉｏｄｉｃ（ｕ）：ＵＥｕのａｐｅｒｉｏｄｉｃ  ＣＱＩ／ＰＭＩ／ＲＩフィードバック信号に係る送信フラグ。Ｆａｐｅｒｉｏｄｉｃ（ｕ）＝１のとき、ＵＥｕはＰＵＳＣＨを用いてＡｐｅｒｉｏｄｉｃ−ＣＱＩ（Ｓｕｂｂａｎｄ  ＣＱＩ）を送信する。Ｆａｐｅｒｉｏｄｉｃ（ｕ）＝０のとき、ＵＥｕはＰＵＳＣＨを用いて、Ａｐｅｒｉｏｄｉｃ−ＣＱＩを送信しない。
（７）Ｆｓｕｂｂａｎｄ−ＣＱＩ（ｕ）：ＵＥｕのｐｅｒｉｏｄｉｃ  ＣＱＩ／ＰＭＩ／ＲＩフィードバック信号に係るＳｕｂｂａｎｄ−ＣＱＩの送信フラグ。Ｆｓｕｂｂａｎｄ−ＣＱＩ（ｕ）＝１のとき、ＵＥｕはＳｕｂｂａｎｄ−ＣＱＩを送信する。Ｆｓｕｂｂａｎｄ−ＣＱＩ（ｕ）＝０のとき、ＵＥｕはＳｕｂｂａｎｄ−ＣＱＩを送信しない。
２．基地局のＣＱＩ／ＰＭＩ／ＲＩフィードバック信号に関連する情報
（１）ΔｓｈｉｆｔＰＵＣＣＨ：ＰＵＣＣＨ  ｆｏｒｍａｔ１用のサイクリックシフトのオフセット値。ＬＴＥの仕様では、ＰＵＣＣＨ  ｆｏｒｍａｔ１を利用して、下りリンクデータ送信のＡｃｋｎｏｗｌｅｄｇｅをフィードバックする。
（２）ＮＰＵＣＣＨ（１）：ｎＰＵＣＣＨ（１）を求める際に必要な定数。
（３）ＮＣＳ（１）：ＰＵＣＣＨ  ｆｏｒｍａｔ１とＰＵＣＣＨ  ｆｏｒｍａｔ２をミックスして送信するＲＢに多重するＰＵＣＣＨ  ｆｏｒｍａｔ１用のサイクリックシフト数。ＮＣＳ（１）＝０のとき、ＰＵＣＣＨ  ｆｏｒｍａｔ１とＰＵＣＣＨ  ｆｏｒｍａｔ２をミックスして送信するＲＢがない。ＮＣＳ（１）は、ΔｓｈｉｆｔＰＵＣＣＨの整数倍であり、０〜７である。
（４）ＮＲＢ（２）：ＰＵＣＣＨ  ｆｏｒｍａｔ２用ＲＢ数。
【先行技術文献】
【非特許文献】
【０００６】
【非特許文献１】３ＧＰＰ  ＴＳ  ３６．２１１  Ｖ８．５．０（２００８−１２）
【非特許文献２】３ＧＰＰ  ＴＳ  ３６．２１３  Ｖ８．５．０（２００８−１２）
【発明の概要】
【発明が解決しようとする課題】
【０００７】
しかしながら、無線通信では、ＵＥが移動することに起因するチャネル品質の時間変動、および、マルチパスチャネルに起因する周波数選択性フェージングによるチャネル品質の周波数変動によって、下りリンクのチャネル品質フィードバック信号を効率良く割り当てることができないという問題がある。
【０００８】
本発明は、このような事情に鑑みてなされたものであり、ＬＴＥのＣＱＩ／ＰＭＩ／ＲＩフィードバックに関する仕様（非特許公報文献1、２参照)に基づき、チャネル品質の時間変動、周波数変動に応じて、フィードバック信号を効率良く割り当てる技術を提供することを目的とする。具体的には、各ＵＥのＣＱＩ／ＰＭＩ／ＲＩフィードバック信号に係る送信パラメータの最適な決定方法を提供することを目的とする。加えて、決定した送信パラメータ用いてＣＱＩ／ＰＭＩ／ＲＩフィードバック用基地局のリソース量(ＮＲＢ（２）)を決定することを目的とする。
【課題を解決するための手段】
【０００９】
上記問題を解決するために、本発明の一態様である信号割当装置は、フィードバック信号によって制御される無線通信システムにおいて、移動局端末の推定ドップラ周波数、コヒーレンス時間決定用の係数、フィードバック信号に割り当てるリソースブロックの上限値およびフィードバック信号に使われるサイクリックシフトのマージンを取得する入力情報制御部と、入力情報制御部によって取得された推定ドップラ周波数、係数、上限値およびマージンに応じて、フィードバック信号の送信周期、フィードバック信号に割り当てる送信サブフレーム（フィードバック信号送信サブフレーム）のオフセットおよびサイクリックシフトのインデックスをフィードバック信号に係る送信パラメータとして決定するフィードバック信号割当決定部とを備えたことを特徴とする。
【００１０】
上記信号割当装置において、フィードバック信号割当決定部は、ＰＵＣＣＨを用いたＣＱＩ／ＲＩ／ＰＭＩの送信制御周期毎に、送信パラメータを決定してもよい。
【００１１】
上記信号割当装置において、フィードバック信号割当決定部は、移動局端末をグループ化し、利用可能なサイクリックシフトを各グループに配分することによって、グループ毎に各グループに含まれる移動局端末について送信パラメータを決定してもよい。
【００１２】
上記信号割当装置において、フィードバック信号割当決定部は、フィードバック信号の送信に必要なリソース数を算出し、必要なリソース数が利用可能上限値を超えないように、送信パラメータを決定してもよい。
【００１３】
上記信号割当装置において、フィードバック信号割当決定部は、フィードバック信号であるＲＩの送信周期を決定するための係数に応じて、送信パラメータを決定してもよい。
【００１４】
上記信号割当装置において、フィードバック信号割当決定部は、推定ドップラ周波数および上記係数に基づいて、フィードバック信号の送信周期の初期値を決定してもよい。
【００１５】
上記信号割当装置において、フィードバック信号割当決定部は、最小のサイクリックシフトのインデックスにおいて送信可能なサブフレームのうち最小の送信サブフレームのオフセットを決定し、最小のサイクリックシフトのインデックスにおいて送信サブフレームのオフセットをインクリメントして、送信可能なサブフレームのオフセットをオフセットの昇順に順次対象端末に割当し（昇順に順次決定し）、最小のサイクリックシフトのインデックスにおいて送信可能なサブフレームのオフセットがなくなったときは、サイクリックシフトのインデックスをインクリメントして、インクリメント後のサイクリックシフトのインデックスにおいて送信可能なサブフレームのオフセットを同様に順次決定することによって、サイクリックシフトのインデックスの昇順かつオフセットの昇順に、サイクリックシフトのインデックスと送信サブフレームのオフセットとを順次決定してもよい。
【００１６】
上記信号割当装置において、フィードバック信号割当決定部は、各移動局端末のフィードバック信号の送信周期の初期値の昇順に、移動局端末をピックアップし、ピックアップした移動局端末を対象端末とし、サイクリックシフトのインデックスと送信サブフレームのオフセットとを決定してもよい。
【００１７】
上記信号割当装置において、フィードバック信号割当決定部は、ＭＩＭＯサポートしない移動局端末に対し、フィードバック信号であるＣＱＩ／ＰＭＩを送信するため第１のオフセットを決定し、ＭＩＭＯサポートする移動局端末に対し、第１のオフセットに加え、フィードバック信号であるＲＩを送信するため第２のオフセットを決定してもよい。
【００１８】
上記信号割当装置において、フィードバック信号割当決定部は、必要なリソース数が利用可能上限値を超える場合、ＭＩＭＯサポートする移動局端末に対し、フィードバック信号であるＲＩの送信周期を変更することによって、送信パラメータを決定してもよい。
【００１９】
上記信号割当装置において、フィードバック信号割当決定部は、フィードバック信号の送信周期、オフセットおよびインデックスを要素とする集合を生成し、集合から１又は２の要素の組合せを選択することによって、送信パラメータを決定してもよい。
【００２０】
上記信号割当装置において、フィードバック信号割当決定部は、インデックスを第１キー、オフセットを第２キーとして、第１キーの昇順および第２キーの昇順に順次、集合から１又は２の要素の組合せを選択してもよい。
【００２１】
上記信号割当装置において、フィードバック信号割当決定部は、制御下に存在する既存の移動局端末用の送信パラメータを決定しているときに、新たな移動局端末が制御下に加わった場合は、既存の移動局端末用の送信パラメータに加えて新たな移動局端末用の送信パラメータも決定してもよい。
【００２２】
上記問題を解決するために、本発明の他の態様である信号割当方法は、フィードバック信号によって制御される無線通信システムにおいて、移動局端末の推定ドップラ周波数、コヒーレンス時間決定用の係数、フィードバック信号に割り当てるリソースブロックの上限値およびフィードバック信号に使われるサイクリックシフトのマージンを取得する入力情報手段と、入力情報制御手段によって取得された推定ドップラ周波数、係数、上限値およびマージンに応じて、フィードバック信号の送信周期、フィードバック信号に割り当てる送信サブフレームのオフセットおよびサイクリックシフトのインデックスをフィードバック信号に係る送信パラメータとして決定するフィードバック信号割当決定手段とを有することを特徴とする。
【００２３】
上記問題を解決するために、本発明の他の態様であるプログラムは、無線通信システムを制御するフィードバック信号を割り当てる信号割当装置のコンピュータに、移動局端末の推定ドップラ周波数、コヒーレンス時間決定用の係数、フィードバック信号に割り当てるリソースブロックの上限値およびフィードバック信号に使われるサイクリックシフトのマージンを取得する入力情報制御ステップと、入力情報制御ステップによって取得された推定ドップラ周波数、係数、上限値およびマージンに応じて、フィードバック信号の送信周期、フィードバック信号に割り当てる送信サブフレームのオフセットおよびサイクリックシフトのインデックスをフィードバック信号に係る送信パラメータとして決定するフィードバック信号割当決定ステップとを実行させることを特徴とする。
【発明の効果】
【００２４】
本発明によれば、チャネル品質の時間変動、周波数変動に応じて、上記チャネル品質フィードバック信号を効率良く割り当てることができるようになる。具体的には、各ＵＥのＣＱＩ／ＰＭＩ／ＲＩフィードバック信号に係る最適な送信パラメータを決定することができるようになる。加えて、決定した送信パラメータ用いてＣＱＩ／ＰＭＩ／ＲＩフィードバック用基地局のリソース量を決定することができるようになる。
【図面の簡単な説明】
【００２５】
【図１】本発明の一実施形態による信号割当装置１０を適用した基地局装置１の機能ブロック図である。
【図２】フィードバック信号割当決定部１１０の機能を説明するための模式図である。
【図３】基地局装置１による動作の一例を示すフローチャートである。
【図４】基地局装置１による動作の一例を示すフローチャートである。
【図５】基地局装置１による動作の一例を示すフローチャートである。
【図６】フィードバック信号割当決定部１１０の機能を説明するための模式図である。
【図７】基地局装置１による動作の一例を示すフローチャートである。
【図８】基地局装置１による動作の一例を示すフローチャートである。
【図９】基地局装置１による動作の一例を示すフローチャートである。
【図１０】基地局装置１による動作の一例を示すフローチャートである。
【図１１】基地局装置１による動作の一例を示すフローチャートである。
【図１２】基地局装置１による動作の一例を示すフローチャートである。
【図１３】基地局装置１による動作の一例を示すフローチャートである。
【図１４】基地局装置１による動作の一例を示すフローチャートである。
【図１５】基地局装置１による動作の一例を示すフローチャートである。
【図１６】基地局装置１による動作の一例を示すフローチャートである。
【図１７】基地局装置１による動作の一例を示すフローチャートである。
【図１８】基地局装置１による動作の一例を示すフローチャートである。
【図１９】基地局装置１による動作の一例を示すフローチャートである。
【発明を実施するための形態】
【００２６】
以下、本発明の一実施形態について図面を参照して説明する。本発明の一実施形態による信号割当装置１０を適用した基地局装置１は、移動通信システムの基地局内に設置される。基地局装置１は、図１に示すように、入力情報制御部１００、フィードバック信号割当決定部１１０およびフィードバック信号受信部１２０を備える。
【００２７】
入力情報制御部１００は、ＵＥに係る情報および基地局に係る情報を取得（収集、管理）する。入力情報制御部１００が取得する情報は以下の通りである。
１．ＵＥに係る情報
（１）ｆＤ（ｕ）：基地局で推定した各ＵＥの最大ドップラ周波数
（２）ＵＥのカテゴリー（ＭＩＭＯサポートする端末カテゴリーは２〜５である）。
２．基地局に係る情報（オペレータによって設定される）
（１）Ｃ：コヒーレンス時間決定用の係数(コヒーレンス時間内に、チャネルの変動がないと仮定する)。
（２）ＮＲＢ（２）（ｍａｘ）：オペレータが指定したＰＵＣＣＨ  ｆｏｒｍａｔ２用のＲＢ数の上限値（データ送信の周波数利用効率を確保するために、制御ＣＨの周波数について制約をかける）  
（３）Ｚ：ＬＴＥがサポートするＣＱＩ／ＰＭＩ送信周期の集合｛２ｍｓ、５ｍｓ、１０ｍｓ、２０ｍｓ、４０ｍｓ、８０ｍｓ、１６０ｍｓ｝。
（４）ｎＰＵＣＣＨ＿ｍａｒｇｉｎ：ＮＲＢ（２）を決定する際に、使用するｎＰＵＣＣＨ（２）のマージン。
（５）ΔｓｈｉｆｔＰＵＣＣＨ：ＰＵＣＣＨ  ｆｏｒｍａｔ１用のサイクリックシフトのオフセット値。
（６）ΔＴＣＱＩ／ＲＩ／ＰＭＩ：ＰＵＣＣＨを用いたＣＱＩ／ＲＩ／ＰＭＩの送信制御を行う周期。
【００２８】
フィードバック信号割当決定部１１０は、入力情報制御部１１０によって取得された情報に基づいて、フィードバック信号の送信周期（Ｎｐ（ｕ））、フィードバック信号に割り当てる送信サブフレームのオフセット（Ｎｏｆｆｓｅｔ，ＣＱＩ（ｕ））、サイクリックフトのインデックス（ｎＰＵＣＣＨ（２）（ｕ））などを、フィードバック信号に係る送信パラメータとして決定する。フィードバック信号割当決定部１１０は上記割当結果をＵＥ２に通知し、上記割当結果および上記送信パラメータをフィードバック信号受信部１２０に供給する。なお、ＵＥ２（フィードバック信号送信部２００）は、割当結果に基づき、ＣＱＩ／ＰＭＩ／ＲＩフィードバック信号を基地局装置１（フィードバック信号受信部１２０）に送信する。なお、フィードバック信号割当決定部１１０は、基地局装置１のスケジューラの機能の一部分とみなしてもよい。
【００２９】
なお、フィードバック信号割当決定部１１０は、図２に示すように、ＰＵＣＣＨ（Physical Uplink Control Channel）を用いたＣＱＩ／ＲＩ／ＰＭＩの送信制御周期（ΔＴＣＱＩ／ＲＩ／ＰＭＩ）毎に、送信パラメータを決定してもよい。換言すれば、フィードバック信号割当決定部１１０によって決定される割当結果は、図２に示すように、ＣＱＩ／ＲＩ／ＰＭＩの送信制御周期毎に適用される。なお、フィードバック信号割当決定部１１０は、ＣＱＩ／ＲＩ／ＰＭＩの送信制御周期を入力情報制御部１１０から取得する。
【００３０】
また、フィードバック信号割当決定部１１０は、事前にＵＥをＮ（Ｎは２以上の整数）グループに分けて、ΔＴＣＱＩ／ＲＩ／ＰＭＩ／Ｎ毎に、１グループずつＣＱＩ／ＰＭＩ／ＲＩフィードバック信号の割当を実施してもよい。即ち、フィードバック信号割当決定部１１０は、ＵＥ２をグループ化し、利用可能なサイクリックシフトを各グループに配分することによって、グループ毎に各グループに含まれるＵＥ２について送信パラメータを決定してもよい（利用可能なサイクリックシフトを各グループに配分しておき、ΔＴＣＱＩ／ＲＩ／ＰＭＩ周期毎に、各グループに含まれるＵＥについて割当を実施してもよい）。なお、フィードバック信号割当決定部１１０は、ＵＥ２の数が多く、割当結果の通知量が多い場合に、上記処理を実施してもよい。また、グループ化する基準は特に限定しないが、一例として、ＵＥのＩＤを基準にグループ化してもよいし、ＵＥの最大ドップラ周波数の推定値を基準にグループ化してもよい。
【００３１】
なお、フィードバック信号割当決定部１１０は、フィードバック信号の送信に必要なリソース数（ＮＲＢ（２））を算出し、必要なリソース数が利用可能上限値（ＮＲＢ（２）（ｍａｘ））を超えないように、送信パラメータを決定することが好ましい。また、フィードバック信号割当決定部１１０は、フィードバック信号であるＲＩ（Rank Indicator）の送信周期を決定するための係数（ＭＲＩ（ｕ））に応じて、送信パラメータを決定することが好ましい。また、フィードバック信号割当決定部１１０は、推定ドップラ周波数および係数に基づいて、フィードバック信号の送信周期の初期値を決定することが好ましい。
【００３２】
また、フィードバック信号割当決定部１１０は、最小のサイクリックシフトのインデックス（ｎＰＵＣＣＨ（２）（ｕ））において送信可能なサブフレームのうち最小のオフセット（Ｎｏｆｆｓｅｔ，ＣＱＩ（ｕ））を決定し、最小のサイクリックシフトのインデックスにおいてオフセットをインクリメントして、送信可能なサブフレームのオフセットをオフセットの昇順に順次対象ＵＥに割当し、最小のサイクリックシフトのインデックスにおいて送信可能なサブフレームのオフセットがなくなったときは、サイクリックシフトのインデックスをインクリメントして、インクリメント後のサイクリックシフトのインデックスにおいて送信可能なサブフレームのオフセットを同様に順次決定することによって、サイクリックシフトのインデックスの昇順かつ送信サブフレームのオフセットの昇順に、サイクリックシフトのインデックスと送信サブフレームのオフセットとを順次決定することが好ましい。また、フィードバック信号割当決定部１１０は、各ＵＥのフィードバック信号の送信周期の初期値の昇順に、ＵＥをピックアップし、ピックアップしたＵＥを対象に、サイクリックシフトのインデックスと送信サブフレームのオフセットとを決定することが好ましい。
【００３３】
また、フィードバック信号割当決定部１１０は、ＭＩＭＯサポートしないＵＥ２０に対し、フィードバック信号であるＣＱＩを送信するため第１のオフセット（Ｎｏｆｆｓｅｔ，ＣＱＩ（ｕ））を決定し、ＭＩＭＯサポートするＵＥに対し、第１のオフセットに加え、ＲＩを送信するため第２のオフセット（Ｎｏｆｆｓｅｔ，ＲＩ（ｕ））を決定してもよい。
【００３４】
なお、フィードバック信号割当決定部１１０は、上述の必要なリソース数（ＮＲＢ（２））が利用可能上限値を超える場合、ＭＩＭＯサポートするＵＥ２０に対し、ＲＩの送信周期を変更することによって、送信パラメータを決定してもよい。
【００３５】
また、フィードバック信号割当決定部１１０は、フィードバック信号の送信周期（Ｎｐ（ｕ））、オフセット（Ｎｏｆｆｓｅｔ，ＣＱＩ（ｕ））およびインデックス（ｎＰＵＣＣＨ（２）（ｕ））を要素とする集合（以下、「集合ｓｕ」という）を生成し、当該集合から１又は２の要素の組合せを選択することによって、送信パラメータを決定してもよい。この場合、フィードバック信号割当決定部１１０は、インデックス（ｎＰＵＣＣＨ（２）（ｕ））を第１キー、オフセット（Ｎｏｆｆｓｅｔ，ＣＱＩ（ｕ））を第２キーとして、第１キーの昇順および第２キーの昇順に順次、集合ｓｕから１又は２の要素の組合せを選択するようにしてもよい。
【００３６】
続いて、図３を用いて基地局装置１（フィードバック信号割当決定部１１０）によるＣＱＩ／ＰＭＩ／ＲＩフィードバック信号の割当動作を説明する。
【００３７】
図３において、フィードバック信号割当決定部１１０は、入力情報制御部１１０から取得した各ＵＥについて推定した最大ドップラ周波数ｆＤ（ｕ）を用いて、ＣＱＩ／ＰＭＩ送信周期に係る各初期値を決定する（ステップＳ１００）。なお、ステップＳ１００の処理の詳細は、後述する（図４）。
【００３８】
ステップＳ１００に続いて、フィードバック信号割当決定部１１０は、各ＵＥのＣＱＩ／ＰＭＩ送信制御情報を決定する（ステップＳ２００）。なお、当該処理において、ＭＲＩ（ｕ）は１となる。なお、ステップＳ２００の処理の詳細は、後述する（図５−図１０）。
【００３９】
ステップＳ２００に続いて、フィードバック信号割当決定部１１０は、基地局装置１のＮＣＳ（１）とＮＲＢ（２）を決定する（ステップＳ３００）。なお、ステップＳ３００の処理の詳細は、後述する（図１１）。
【００４０】
ステップＳ３００に続いて、フィードバック信号割当決定部１１０は、ＮＲＢ（２）と、入力情報制御部１００から取得したＮＲＢ（２）（ｍａｘ）（ＰＵＣＣＨ  ｆｏｒｍａｔ２用ＲＢ数の上限値）の大小関係を比較する（ステップＳ４００）。フィードバック信号割当決定部１１０は、ＮＲＢ（２）≦ＮＲＢ（２）（ｍａｘ）であると判断した場合（ステップＳ４００：Ｎｏ）、ＣＱＩ／ＰＭＩ送信制御情報の決定を終了し、ＮＣＳ（１）、および、ＮＲＢ（２）、割当済みの全対象ＵＥのＣＱＩ／ＰＭＩ送信制御情報を出力する（ステップＳ８００）。  
【００４１】
一方、フィードバック信号割当決定部１１０は、ＮＲＢ（２）＞ＮＲＢ（２）（ｍａｘ）であると判断した場合（ステップＳ４００：Ｙｅｓ）、ＭＩＭＯをサポートする全てのＵＥにおいてＲＩ送信周期係数＝１であるか否かを判断する（ステップＳ５００）。フィードバック信号割当決定部１１０は、ＭＩＭＯをサポートする全てのＵＥにおいてＲＩ送信周期係数＝１であると判断した場合（ステップＳ５００：Ｙｅｓ）、ＣＱＩ／ＰＭＩ送信制御情報（ＭＲＩ（ｕ）≠１)を決定する（ステップＳ６００）。そして、再度ステップＳ３００に戻る。なお、当該処理において、ＭＲＩ（ｕ）は１以外となる。なお、ステップＳ６００の処理の詳細は、後述する（図１２−図１５）。
【００４２】
一方、フィードバック信号割当決定部１１０は、ＭＩＭＯをサポートする全てのＵＥにおいてＲＩ送信周期係数＝１でないと判断した場合（ステップＳ５００：Ｎｏ）、ステップＳ１００において決定したＣＱＩ／ＰＭＩ送信周期初期値を用いて、最短ＣＱＩ／ＰＭＩ送信周期の対象ＵＥのＣＱＩ／ＰＭＩ送信周期を更新する（ステップＳ７００）。そして、再度ステップＳ２００に戻る。なお、ステップＳ７００の処理の詳細は、後述する（図１６）。
【００４３】
続いて、図４を用いて上記ステップＳ１００の処理の詳細を説明する。図４において、フィードバック信号割当決定部１１０は、ＣＱＩ／ＲＩ／ＰＭＩ送信制御対象となるＵＥに対して、初期値として、ＮＰ（ｕ）＝２をセットする（ステップＳ１０２）。次いで、フィードバック信号割当決定部１１０は、対象とするＵＥ（以下、「対象ＵＥ」という）を選択し（ステップＳ１０４）、初期値として、Ｆａｐｅｒｉｏｄｉｃ（ｕ）＝０，Ｆｓｕｂｂａｎｄ‐ＣＱＩ（ｕ）＝１をセットする（ステップＳ１０６）。つまり、フィードバック信号割当決定部１１０は、ＵＥｕがＰＵＳＣＨを用いてＡｐｅｒｉｏｄｉｃ−ＣＱＩを送信しない旨、ＵＥｕがＵＥｕはＳｕｂｂａｎｄ−ＣＱＩを送信する旨を設定する。次いで、フィードバック信号割当決定部１１０は、Ｃ／ｆＤ（ｕ）＜２であるか否かを判断する（ステップＳ１０８）。
【００４４】
フィードバック信号割当決定部１１０は、Ｃ／ｆＤ（ｕ）＜２であると判断した場合（ステップＳ１０８：Ｙｅｓ）、Ｆａｐｅｒｉｏｄｉｃ（ｕ）＝１，Ｆｓｕｂｂａｎｄ‐ＣＱＩ（ｕ）＝０をセットする（ステップＳ１１０）。つまり、フィードバック信号割当決定部１１０は、ＵＥｕがＰＵＳＣＨを用いてＡｐｅｒｉｏｄｉｃ−ＣＱＩを送信する旨、ＵＥｕがＵＥｕはＳｕｂｂａｎｄ−ＣＱＩを送信しない旨を設定する。
【００４５】
一方、フィードバック信号割当決定部１１０は、Ｃ／ｆＤ（ｕ）＜２でないと判断した場合（ステップＳ１０８：Ｎｏ）、Ｚ（ｋ）≦Ｃ／ｆＤ（ｕ）＜Ｚ（ｋ＋１）を満足するｋが存在するか否かを判断する（ステップＳ１１２）。なお、ＺはＣＱＩ／ＰＭＩ送信周期集合｛２ｍｓ、５ｍｓ、１０ｍｓ、２０ｍｓ、４０ｍｓ、８０ｍｓ、１６０ｍｓ｝、Ｚ（ｋ）はサポートするＣＱＩ／ＰＭＩ送信周期集合のｋ番目の値である。例えば、Ｚ（１）はＣＱＩ／ＰＭＩ送信周期２ｍｓ、Ｚ（２）はＣＱＩ／ＰＭＩ送信周期５ｍｓである。
【００４６】
フィードバック信号割当決定部１１０は、Ｚ（ｋ）≦Ｃ／ｆＤ（ｕ）＜Ｚ（ｋ＋１）を満足するｋが存在すると判断した場合（ステップＳ１１２：Ｙｅｓ）、ＮＰ（ｕ）＝Ｚ（ｋ）をセットする（ステップＳ１１４）。一方、フィードバック信号割当決定部１１０は、Ｚ（ｋ）≦Ｃ／ｆＤ（ｕ）＜Ｚ（ｋ＋１）を満足するｋが存在しないと判断した場合（ステップＳ１１２：Ｎｏ）、ＮＰ（ｕ）＝１６０ｍｓをセットする（ステップＳ１１６）。
【００４７】
フィードバック信号割当決定部１１０は、他の対象ＵＥについても同様の処理（ステップＳ１０６〜ステップＳ１１６）を実行し、図４に示すフローチャートは終了する。
【００４８】
続いて、図５を用いて上記ステップＳ２００の処理の詳細を説明する。図５において、フィードバック信号割当決定部１１０は、初期値として、ＭＲＩ（ｕ）＝１、集合ｓｅｔ＿ｕｎｕｓｅｄ（上記「集合ｓｕ」）＝空集合、ｎ＝０、ｏｆｆｓｅｔ＝０、ｋ＝１をセットする（ステップＳ２０２）。なお、集合ｓｕは、｛ｎＰＵＣＣＨ（２），Ｎｐ，Ｎｏｆｆｓｅｔ，ＣＱＩ｝の組み合わせから構成される。即ち、集合ｓｕは、ｎＰＵＣＣＨ（２）を要素ｘ，Ｎｐを要素ｙ，Ｎｏｆｆｓｅｔ，ＣＱＩを要素ｚとする集合｛ｘ，ｙ，ｚ｝である。
【００４９】
次いで、フィードバック信号割当決定部１１０は、全ての対象ＵＥを含む集合Ｕａｌｌを設定する（ステップＳ２０４）。次いで、フィードバック信号割当決定部１１０は、ＣＱＩ送信周期ＮＰがＺ（ｋ）である対象ＵＥが存在するか否かを判断する（ステップＳ２０６）。フィードバック信号割当決定部１１０は、ＣＱＩ送信周期ＮＰがＺ（ｋ）である対象ＵＥが存在すると判断した場合（ステップＳ２０６：Ｙｅｓ）、各対象ＵＥのＮｏｆｆｓｅｔ，ＣＱＩ（ｕ）およびｎＰＵＣＣＨ（２）（ｕ）の設定処理、および、集合ｓｕの更新処理を実行する（ステップＳ１０００）。なお、ステップＳ１０００の処理の詳細は、後述する（図６）。
【００５０】
なお、最初に実行するステップＳ２０６では、ｋ＝１であるため、最初に、ＣＱＩ送信周期ＮＰがＺ（１）、即ちＣＱＩ送信周期ＮＰが２ｍｓである対象ＵＥについてステップＳ１０００を実行し、順次、ステップＳ２１４においてｋをインクリメントし、ステップＳ１０００またはステップＳ２０００を実行するようにしている。つまり、フィードバック信号割当決定部１１０は、ＵＥのＣＱＩ送信周期ＮＰの初期値の昇順に、ＵＥをピックアップし、ピックアップしたＵＥを対象ＵＥとし、各ＵＥのサイクリックシフトのインデックスと送信サブフレームのオフセットとを決定するようにしている。
【００５１】
ステップＳ１０００に続いて、フィードバック信号割当決定部１１０は、集合ＵａｌｌからＮＰがＺ（ｋ）である対象ＵＥを取り除き（ステップＳ２１０）、集合Ｕａｌｌは空集合であるか否かを判断する（ステップＳ２１２）。フィードバック信号割当決定部１１０は、集合Ｕａｌｌは空集合であると判断した場合（ステップＳ２１２：Ｙｅｓ）、図５に示すフローチャートは終了する。一方、フィードバック信号割当決定部１１０は、集合Ｕａｌｌは空集合でないと判断した場合（ステップＳ２１２：Ｎｏ）、ステップＳ２１４に進む。
【００５２】
一方、フィードバック信号割当決定部１１０は、ＣＱＩ送信周期ＮＰがＺ（ｋ）である対象ＵＥが存在しないと判断した場合（ステップＳ２０６：Ｎｏ）、ｋ＝ｋ＋１と更新し（ステップＳ２１４）、ｋ＞２であるか否かを判断する（ステップＳ２１６）。フィードバック信号割当決定部１１０は、ｋ＞２であると判断した場合（ステップＳ２１６：Ｙｅｓ）、「ＭＲＩ＝１，ＮＰ≠２  ｏｒ  ５」の処理を実行する（ステップＳ２０００）。そして、図５に示すフローチャートは終了する。なお、ステップＳ２０００の処理の詳細は、後述する（図８）。一方、フィードバック信号割当決定部１１０は、ｋ＞２でないと判断した場合（ステップＳ２１６：Ｎｏ）、ステップＳ２０６に戻る。
【００５３】
続いて、図６を用いて上記ステップＳ１０００の処理の詳細を説明する。図６において、フィードバック信号割当決定部１１０は、ＮＰがＺ（ｋ）である対象ＵＥをＩＤ、つまり、インデックスの昇順に選択する（ステップＳ１００２）。次いで、フィードバック信号割当決定部１１０は、ＵＥｕがＭＩＭＯをサポートするか否かを判断する（ステップＳ１００４）。
【００５４】
フィードバック信号割当決定部１１０は、ＵＥｕがＭＩＭＯをサポートすると判断した場合（ステップＳ１００４：Ｙｅｓ）、集合ｓｕにＣＱＩ送信周期がＺ（ｋ）であって、ｎＰＵＣＣＨ（２）が同一、かつ、Ｎｏｆｆｓｅｔ，ＣＱＩが異なる組み合わせが２以上存在するか否かを判断する（ステップＳ１００６）。フィードバック信号割当決定部１１０は、集合ｓｕにＣＱＩ送信周期がＺ（ｋ）であって、ｎＰＵＣＣＨ（２）が同一、かつ、Ｎｏｆｆｓｅｔ，ＣＱＩが異なる組み合わせが２以上存在すると判断した場合（ステップＳ１００６：Ｙｅｓ）、以下の選択基準で（ｎＰＵＣＣＨ（２），Ｎｐ，Ｎｏｆｆｓｅｔ，ＣＱＩ）の組み合わせを２つ選択する（ステップＳ１００８）。但し、２つは、ｎＰＵＣＣＨ（２）が同一である。
（選択基準）
第１キー：ｎＰＵＣＣＨ（２）の昇順
第２キー：Ｎｏｆｆｓｅｔ，ＣＱＩ
【００５５】
ステップＳ１００８に続いて、フィードバック信号割当決定部１１０は、Ｎｏｆｆｓｅｔ，ＲＩ（ｕ）＝−（大きいＮｏｆｆｓｅｔ，ＣＱＩ値‐小さいＮｏｆｆｓｅｔ，ＣＱＩ値）とし（ステップＳ１０１０）、ｎＰＵＣＣＨ（２）（ｕ）＝選択した組み合わせに含まれるｎＰＵＣＣＨ（２）、Ｎｏｆｆｓｅｔ，ＣＱＩ（ｕ）＝選択した組み合わせに含まれるＮｏｆｆｓｅｔ，ＣＱＩの最小値とする（ステップＳ１０１２）。また、フィードバック信号割当決定部１１０は、選択した２つの組み合わせを集合ｓｕから削除する（ステップＳ１０１４）。
【００５６】
一方、フィードバック信号割当決定部１１０は、集合ｓｕにＣＱＩ送信周期がＺ（ｋ）であって、ｎＰＵＣＣＨ（２）が同一、かつ、Ｎｏｆｆｓｅｔ，ＣＱＩが異なる組み合わせが２以上存在しないと判断した場合（ステップＳ１００６：Ｎｏ）、Ｎｏｆｆｓｅｔ，ＲＩ（ｕ）＝−（ＮＰ（ｕ）−１）とし（ステップＳ１０１６）、ｏｆｆｓｅｔ＝ｏｆｆｓｅｔ＋２とし（ステップＳ１０１８）、ｎＰＵＣＣＨ（２）（ｕ）＝ｎ、Ｎｏｆｆｓｅｔ，ＣＱＩ（ｕ）＝０とする（ステップＳ１０２０）。
【００５７】
ステップＳ１０２０に続いて、フィードバック信号割当決定部１１０は、ｏｆｆｓｅｔ≧Ｚ（ｋ）であるか否かを判断する（ステップＳ１０２２）。フィードバック信号割当決定部１１０は、ｏｆｆｓｅｔ≧Ｚ（ｋ）でないと判断した場合（ステップＳ１０２２：Ｎｏ）、集合ｓｕに｛（ｎＰＵＣＣＨ（２）＝ｎ，ＮＰ＝Ｚ（ｋ），Ｎｏｆｆｓｅｔ，ＣＱＩ＝ｏｆｆｓｅｔ），（ｎＰＵＣＣＨ（２）＝ｎ，ＮＰ＝Ｚ（ｋ），Ｎｏｆｆｓｅｔ，ＣＱＩ＝ｏｆｆｓｅｔ＋１），・・・，（ｎＰＵＣＣＨ（２）＝ｎ，ＮＰ＝Ｚ（ｋ），Ｎｏｆｆｓｅｔ，ＣＱＩ＝ｏｆｆｓｅｔ＋Ｚ（ｋ）−１）｝の組み合わせを追加する（ステップＳ１０２４）。また、フィードバック信号割当決定部１１０は、ｎ＝ｎ＋１，ｏｆｆｓｅｔ＝０とする（ステップＳ１０２６）。一方、フィードバック信号割当決定部１１０は、ｏｆｆｓｅｔ≧Ｚ（ｋ）であると判断した場合（ステップＳ１０２２：Ｙｅｓ）、ステップＳ１０２４を飛ばしてステップＳ１０２６を実行する。
【００５８】
一方、フィードバック信号割当決定部１１０は、ＵＥｕがＭＩＭＯをサポートしないと判断した場合（ステップＳ１００４：Ｎｏ）、集合ｓｕにＣＱＩ送信周期がＺ（ｋ）である組み合わせ存在するか否かを判断する（ステップＳ１０２８）。フィードバック信号割当決定部１１０は、集合ｓｕにＣＱＩ送信周期がＺ（ｋ）である組み合わせ存在しないと判断した場合（ステップＳ１０２８：Ｎｏ）、ｏｆｆｓｅｔ＝ｏｆｆｓｅｔ＋１とし（ステップＳ１０３０）、ステップＳ１０２０に進む。
【００５９】
一方、フィードバック信号割当決定部１１０は、集合ｓｕにＣＱＩ送信周期がＺ（ｋ）である組み合わせ存在すると判断した場合（ステップＳ１０２８：Ｙｅｓ）、以下の選択基準で（ｎＰＵＣＣＨ（２），Ｎｐ，Ｎｏｆｆｓｅｔ，ＣＱＩ）の組み合わせを１つ選択する（ステップＳ１０３２）。
（選択基準）
第１キー：ｎＰＵＣＣＨ（２）の昇順
第２キー：Ｎｏｆｆｓｅｔ，ＣＱＩ
【００６０】
ステップＳ１０３２に続いて、フィードバック信号割当決定部１１０は、ｎＰＵＣＣＨ（２）（ｕ）＝選択した組み合わせに含まれるｎＰＵＣＣＨ（２）、Ｎｏｆｆｓｅｔ，ＣＱＩ（ｕ）＝選択した組み合わせに含まれるＮｏｆｆｓｅｔ，ＣＱＩとする（ステップＳ１０３４）。また、フィードバック信号割当決定部１１０は、選択した組み合わせを集合ｓｕから削除する（ステップＳ１０３６）。
【００６１】
フィードバック信号割当決定部１１０は、他の対象ＵＥについても同様の処理（ステップＳ１００２〜ステップＳ１０３６）を実行し、図６に示すフローチャートは終了する。なお、上記フローチャートに示すように、フィードバック信号割当決定部１１０は、Ｎｏｆｆｓｅｔ，ＣＱＩ（ｕ）の値、つまり、ＵＥｕのＣＱＩ／ＰＭＩ送信時間オフセットの値を０〜Ｎｐ（ｕ）−１に決定している。
【００６２】
また、上記フローチャートに示すように、集合ｓｕの初期値は空集合であって、フィードバック信号割当決定部１１０は、ＣＱＩ／ＰＭＩ送信制御情報を決定する都度、集合ｓｕを更新する。
【００６３】
また、送信制御情報の割当順は、特に限定しないが、上記フローチャートに示すように、ｎＰＵＣＣＨ（２）（ｕ）を第１キー、Ｎｏｆｆｓｅｔ，ＣＱＩ（ｕ）を第２キーとしてインクリメント順に割り当ててもよい。
【００６４】
例えば、ｎＰＵＣＣＨ（２）（ｕ）を第１キー、Ｎｏｆｆｓｅｔ，ＣＱＩ（ｕ）を第２キーとしてインクリメント順に割り当てる場合、図７に示すように、フィードバック信号割当決定部１１０は、以下のように、ＵＥ（ａ）、ＵＥ（ｂ）、ＵＥ（ｃ）、ＵＥ（ｄ）、ＵＥ（ｆ）、ＵＥ（ｇ）についてＣＱＩ／ＰＭＩ送信制御情報を割り当てる。なお、ＵＥ（ａ）〜ＵＥ（ｇ）はＭＩＭＯをサポートせず、ＣＱＩ／ＰＭＩ送信周期Ｎｐ（ｕ）の初期値は５ｍｓであるものとする。また、集合ｓｕ｛ｘ，ｙ，ｚ｝の要素ｘはｎＰＵＣＣＨ、要素ｙはＮｐ、要素ｚはＮｏｆｆｓｅｔ，ＣＱＩである。
（１）フィードバック信号割当決定部１１０は、ＵＥ（ａ）について、集合ｓｕ｛ｘ，ｙ，ｚ｝が空集合であるため、Ｘ＝０（利用するＰＵＣＣＨ  ｆｏｒｍａｔ２のｃｙｃｌｉｃ  ｓｈｉｆｔのＩＤ＝０）、Ｙ＝５（前提条件）、Ｚ＝０（利用可能な送信サブフレームのＯｆｆｓｅｔ＝０）をＵＥ（ａ）に割り当てるとともに、集合ｓｕ｛ｘ，ｙ，ｚ｝を更新（新規生成）する。つまり、フィードバック信号割当決定部１１０は、Ｎｏｆｆｓｅｔ，ＣＱＩ（ａ）=０、ｎＰＵＣＣＨ（２）（ａ）＝０、集合ｓｕ｛ｘ，ｙ，ｚ｝＝｛（ｘ＝０，ｙ＝５，ｚ＝１），（ｘ＝０，ｙ＝５，ｚ＝２），（ｘ＝０，ｙ＝５，ｚ＝３），（ｘ＝０，ｙ＝５，ｚ＝４）｝とする。
（２）フィードバック信号割当決定部１１０は、ＵＥ（ｂ）について、集合ｓｕ｛ｘ，ｙ，ｚ｝が空集合ではないため、集合ｓｕ｛ｘ，ｙ，ｚ｝から組合せ（ｘ＝０，ｙ＝５，ｚ＝１）を選択し、ＵＥ（ｂ）に割り当てるとともに、集合ｓｕ｛ｘ，ｙ，ｚ｝を更新（選択した組合せを消去）する。つまり、フィードバック信号割当決定部１１０は、Ｎｏｆｆｓｅｔ，ＣＱＩ（ｂ）=１、ｎＰＵＣＣＨ（２）（ｂ）＝０、集合ｓｕ｛ｘ，ｙ，ｚ｝＝｛（ｘ＝０，ｙ＝５，ｚ＝２），（ｘ＝０，ｙ＝５，ｚ＝３），（ｘ＝０，ｙ＝５，ｚ＝４）｝とする。
（３）フィードバック信号割当決定部１１０は、ＵＥ（ｃ）について、集合ｓｕ｛ｘ，ｙ，ｚ｝が空集合ではないため、集合ｓｕ｛ｘ，ｙ，ｚ｝から組合せ（ｘ＝０，ｙ＝５，ｚ＝２）を選択し、ＵＥ（ｃ）に割り当てるとともに、集合ｓｕ｛ｘ，ｙ，ｚ｝を更新（選択した組合せを消去）する。つまり、フィードバック信号割当決定部１１０は、Ｎｏｆｆｓｅｔ，ＣＱＩ（ｃ）=２、ｎＰＵＣＣＨ（２）（ｃ）＝０、集合ｓｕ｛ｘ，ｙ，ｚ｝＝｛（ｘ＝０，ｙ＝５，ｚ＝３），（ｘ＝０，ｙ＝５，ｚ＝４）｝とする。
（４）フィードバック信号割当決定部１１０は、ＵＥ（ｄ）について、集合ｓｕ｛ｘ，ｙ，ｚ｝が空集合ではないため、集合ｓｕ｛ｘ，ｙ，ｚ｝から組合せ（ｘ＝０，ｙ＝５，ｚ＝３）を選択し、ＵＥ（ｄ）に割り当てるとともに、集合ｓｕ｛ｘ，ｙ，ｚ｝を更新（選択した組合せを消去）する。つまり、フィードバック信号割当決定部１１０は、Ｎｏｆｆｓｅｔ，ＣＱＩ（ｄ）=３、ｎＰＵＣＣＨ（２）（ｄ）＝０、集合ｓｕ｛ｘ，ｙ，ｚ｝＝｛（ｘ＝０，ｙ＝５，ｚ＝４）｝とする。
（５）フィードバック信号割当決定部１１０は、ＵＥ（ｅ）について、集合ｓｕ｛ｘ，ｙ，ｚ｝が空集合ではないため、集合ｓｕ｛ｘ，ｙ，ｚ｝から組合せ（ｘ＝０，ｙ＝５，ｚ＝４）を選択し、ＵＥ（ｅ）に割り当てるとともに、集合ｓｕ｛ｘ，ｙ，ｚ｝を更新（選択した組合せを消去）する。つまり、フィードバック信号割当決定部１１０は、Ｎｏｆｆｓｅｔ，ＣＱＩ（ｅ）=４、ｎＰＵＣＣＨ（２）（ｅ）＝０、集合ｓｕ｛ｘ，ｙ，ｚ｝を空集合とする。
（６）フィードバック信号割当決定部１１０は、ＵＥ（ｆ）について、集合ｓｕ｛ｘ，ｙ，ｚ｝が空集合であるため、ｘ＝１、ｙ＝５、ｚ＝０をＵＥ（ｆ）に割り当てるとともに、集合ｓｕを更新（新規生成）する。つまり、フィードバック信号割当決定部１１０は、Ｎｏｆｆｓｅｔ，ＣＱＩ（ｆ）=０、ｎＰＵＣＣＨ（２）（ｆ）＝１、集合ｓｕ＝｛（ｘ＝１，ｙ＝５，ｚ＝１），（ｘ＝１，ｙ＝５，ｚ＝２），（ｘ＝１，ｙ＝５，ｚ＝３），（ｘ＝１，ｙ＝５，ｚ＝４）｝とする。
（７）フィードバック信号割当決定部１１０は、ＵＥ（ｇ）について、集合ｓｕ｛ｘ，ｙ，ｚ｝が空集合ではないため、集合ｓｕ｛ｘ，ｙ，ｚ｝から組合せ（ｘ＝１，ｙ＝５，ｚ＝１）を選択し、ＵＥ（ｇ）に割り当てるとともに、集合ｓｕ｛ｘ，ｙ，ｚ｝を更新（選択した組合せを消去）する。つまり、フィードバック信号割当決定部１１０は、Ｎｏｆｆｓｅｔ，ＣＱＩ（ｇ）=１、ｎＰＵＣＣＨ（２）（ｇ）＝１、集合ｓｕ｛ｘ，ｙ，ｚ｝＝｛（ｘ＝１，ｙ＝５，ｚ＝２），（ｘ＝１，ｙ＝５，ｚ＝３），（ｘ＝１，ｙ＝５，ｚ＝４）｝とする。
【００６５】
ここで、フィードバック信号割当決定部１１０は、上記（１）〜上記（７）に示すように、最小のサイクリックシフトのインデックス（ｘ＝０）において送信可能なサブフレームのうち最小のオフセット（ｚ＝０）を決定し、最小のサイクリックシフトのインデックス（ｘ＝０）においてオフセットをインクリメントして、送信可能なサブフレームのオフセットをオフセットの昇順に順次決定（ｚ＝１、２、３、４）し、最小のサイクリックシフトのインデックスにおいて送信可能なサブフレームのオフセットがなくなったときは、サイクリックシフトのインデックスをインクリメントして（ｘ＝１）、インクリメント後のサイクリックシフトのインデックスにおいて送信可能なサブフレームのオフセットを同様に順次決定することによって、サイクリックシフトのインデックスの昇順かつオフセットの昇順に、サイクリックシフトのインデックスと送信サブフレームのオフセットとを順次決定している。
【００６６】
なお、上記ＵＥ（ａ）〜ＵＥ（ｇ）は、何れも送信周期（要素ｙ）が同一であったが、異なる送信周期のＵＥを含む場合、ＰＵＣＣＨ  ｆｏｒｍａｔ２のｃｙｃｌｉｃ  ｓｈｉｆｔが異なるため、ＣＱＩ／ＰＭＩ送信制御情報の割り当て方法が異なる。なお、図５および図６は、対象ＵＥのＣＱＩ／ＲＩ／ＰＭＩ送信周期が２ｍｓまたは５ｍｓの場合の動作、後述する図８から図１０は、ＣＱＩ／ＲＩ／ＰＭＩ送信周期が２ｍｓと５ｍｓ以外の場合の動作を表している。なお、図９および図１０は、図８において集合ｓｕが空集合でない場合の処理である。
【００６７】
なお、ＵＥがＭＩＭＯサポートする端末カテゴリー（端末カテゴリー２〜５）である場合、ＣＱＩ／ＰＭＩに加えてＲＩのフィードバックも必要となる。この場合、上記フローチャートに示すように、フィードバック信号割当決定部１１０は、ＵＥのＣＱＩ／ＰＭＩ送信制御情報の決定において（ステップＳ２０）、ＲＩの送信周期はＣＱＩ／ＰＭＩ送信周期と同一であってＲＩの送信時間オフセットはＣＱＩ／ＰＭＩ送信時間オフセットと同一でないと仮定し、ステップ１０において決定したＵＥのＣＱＩ／ＰＭＩ送信周期初期値の昇順にＵＥを選択して、順次、ＣＱＩ／ＰＭＩ送信制御情報を決定する。
【００６８】
続いて、図８を用いて上記ステップＳ２０００の処理の詳細を説明する。図８において、フィードバック信号割当決定部１１０は、ＮＰ＿ｍｉｎ＝対象ＵＥのＣＱＩ送信周期ＮＰの最小値とする（ステップＳ２００２）。次いで、フィードバック信号割当決定部１１０は、ＮＰがＮＰ＿ｍｉｎである対象ＵＥを選択し（ステップＳ２００４）、集合ｓｕが空集合であるか否かを判断する（ステップＳ２００６）。
【００６９】
フィードバック信号割当決定部１１０は、集合ｓｕが空集合であると判断した場合（ステップＳ２００６：Ｙｅｓ）、ｎＰＵＣＣＨ（２）（ｕ）＝ｎ、Ｎｏｆｆｓｅｔ，ＣＱＩ（ｕ）＝ｏｆｆｓｅｔとし（ステップＳ２００８）、ＵＥｕがＭＩＭＯをサポートするか否かを判断する（ステップＳ２０１０）。フィードバック信号割当決定部１１０は、ＵＥｕがＭＩＭＯをサポートすると判断した場合（ステップＳ２０１０：Ｙｅｓ）、Ｎｏｆｆｓｅｔ，ＲＩ（ｕ）＝−（ＮＰ（ｕ）−１）とし（ステップＳ２０１２）、ｏｆｆｓｅｔ＝ｏｆｆｓｅｔ＋２とする（ステップＳ２０１４）。一方、フィードバック信号割当決定部１１０は、ＵＥｕがＭＩＭＯをサポートしないと判断した場合（ステップＳ２０１０：Ｎｏ）、ｏｆｆｓｅｔ＝ｏｆｆｓｅｔ＋１とする（ステップＳ２０１６）。
【００７０】
ステップＳ２０１４またはステップＳ２０１６に続いて、フィードバック信号割当決定部１１０は、ｏｆｆｓｅｔ≧ＮＰ＿ｍｉｎであるか否かを判断する（ステップＳ２０１８）。フィードバック信号割当決定部１１０は、ｏｆｆｓｅｔ≧ＮＰ＿ｍｉｎでないと判断した場合（ステップＳ２０１８：Ｎｏ）、集合ｓｕに｛（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ），（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ＋１），・・・，（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ＋ＮＰ＿ｍｉｎ−１）｝の組み合わせを追加する（ステップＳ２０２０）。また、フィードバック信号割当決定部１１０は、ｎ＝ｎ＋１、ｏｆｆｓｅｔ＝０とする（ステップＳ２０２２）。フィードバック信号割当決定部１１０は、ｏｆｆｓｅｔ≧ＮＰ＿ｍｉｎであると判断した場合（ステップＳ２０１８：Ｙｅｓ）、ステップＳ２０２０を飛ばしてステップＳ２０２２を実行する。
【００７１】
一方、フィードバック信号割当決定部１１０は、集合ｓｕが空集合でないと判断した場合（ステップＳ２００６：Ｎｏ）、「ＭＲＩ＝１」の処理を実行する（ステップＳ２１００）。なお、ステップＳ２１００の処理の詳細は、後述する（図９および図１０）。
【００７２】
フィードバック信号割当決定部１１０は、他の対象ＵＥについても同様の処理（ステップＳ２００４〜ステップＳ２０２２（またはステップＳ２１００））を実行し、その後、ＮＰがＮＰ＿ｍｉｎである対象ＵＥを集合Ｕａｌｌから取り除き（ステップＳ２０２６）、集合Ｕａｌｌは空集合であるか否かを判断する（ステップＳ２０２８）。フィードバック信号割当決定部１１０は、集合Ｕａｌｌは空集合でないと判断した場合（ステップＳ２０２８：Ｎｏ）、ステップＳ２００２に戻る。一方、フィードバック信号割当決定部１１０は、集合Ｕａｌｌは空集合であると判断した場合（ステップＳ２０２８：Ｙｅｓ）、図８に示すフローチャートは終了する。
【００７３】
続いて、図９および図１０を用いて上記ステップＳ２１００の処理の詳細を説明する。図８において、フィードバック信号割当決定部１１０は、集合ｓｕの組み合わせを選択する（ステップＳ２１０２）。次いで、フィードバック信号割当決定部１１０は、ＴＷ１に選択した組み合わせのＣＱＩ送信周期ＮＰをセットし（ステップＳ２１０４）、ＴＷ１はＮＰ＿ｍｉｎであるか否かを判断する（ステップＳ２１０６）。フィードバック信号割当決定部１１０は、ＴＷ１はＮＰ＿ｍｉｎでないと判断した場合（ステップＳ２１０６：Ｎｏ）、ＴＷ２＝ＮＰ＿ｍｉｎ／ＴＷ１とし（ステップＳ２１０８）、集合ｓｕに｛（ｎＰＵＣＣＨ（２），ＴＷ１，ＴＷ１＋Ｎｏｆｆｓｅｔ，ＣＱＩ），・・・，（ｎＰＵＣＣＨ（２），ＴＷ１，（ＴＷ２−１）ＴＷ１＋Ｎｏｆｆｓｅｔ，ＣＱＩ）｝の組み合わせを追加する（ステップＳ２１０８）。一方、フィードバック信号割当決定部１１０は、ＴＷ１はＮＰ＿ｍｉｎであると判断した場合（ステップＳ２１０６：Ｙｅｓ）、ステップＳ２１０６およびステップＳ２１０８を実行しない。
【００７４】
フィードバック信号割当決定部１１０は、他の組み合わせについても同様の処理（ステップＳ２１０２〜ステップＳ２１１０）を実行し、その後、集合ｓｕ内の全ての組み合わせに対して、ＮＰをＮＰ＿ｍｉｎに変更する（ステップＳ２２１２）。次いで、フィードバック信号割当決定部１１０は、集合ｓｕ内の全ての組み合わせを以下のソート基準に従ってソートする（ステップＳ２１１４）。
（ソート基準）
第１キー：ｎＰＵＣＣＨ（２）の昇順
第２キー：Ｎｏｆｆｓｅｔ，ＣＱＩの昇順
【００７５】
ステップＳ２１１４に続いて、図１０において、フィードバック信号割当決定部１１０は、ＵＥｕがＭＩＭＯをサポートするか否かを判断する（ステップＳ２１１６）。フィードバック信号割当決定部１１０は、ＵＥｕがＭＩＭＯをサポートすると判断した場合（ステップＳ２１１６：Ｙｅｓ）、ｎＰＵＣＣＨ（２）が同一である組み合わせが２以上存在するか否かを判断する（ステップＳ２１１８）。フィードバック信号割当決定部１１０は、ｎＰＵＣＣＨ（２）が同一である組み合わせが２以上存在すると判断した場合（ステップＳ２１１８：Ｙｅｓ）、ソートした組み合わせのうち、条件（ｎＰＵＣＣＨ（２）が同一）に最初に合致する２つの（ｎＰＵＣＣＨ（２），Ｎｐ，Ｎｏｆｆｓｅｔ，ＣＱＩ）の組み合わせを選択する（ステップＳ２１２０）。
【００７６】
ステップＳ２１２０に続いて、フィードバック信号割当決定部１１０は、ｎＰＵＣＣＨ（２）（ｕ）＝選択した組み合わせに含まれるｎＰＵＣＣＨ（２）、Ｎｏｆｆｓｅｔ，ＣＱＩ（ｕ）＝選択した組み合わせに含まれるＮｏｆｆｓｅｔ，ＣＱＩの最小値とする（ステップＳ２１２２）。次いで、フィードバック信号割当決定部１１０は、Ｎｏｆｆｓｅｔ，ＲＩ（ｕ）＝−（大きいｏｆｆｓｅｔ対象値−小さいｏｆｆｓｅｔ対象値）とし（ステップＳ２１２４）、選択した２つの組み合わせを集合ｓｕから削除する（ステップＳ２１２６）。そして、図１０に示すフローチャートは終了する。
【００７７】
一方、フィードバック信号割当決定部１１０は、ｎＰＵＣＣＨ（２）が同一である組み合わせが２以上存在しないと判断した場合（ステップＳ２１１８：Ｎｏ）、ｎＰＵＣＣＨ（２）（ｕ）＝ｎ、Ｎｏｆｆｓｅｔ，ＣＱＩ（ｕ）＝ｏｆｆｓｅｔ、Ｎｏｆｆｓｅｔ，ＲＩ（ｕ）＝−（ＮＰ（ｕ）−１）とし（ステップＳ２１２８）、ｏｆｆｓｅｔ＝ｏｆｆｓｅｔ＋２とする（ステップＳ２１３０）。
【００７８】
ステップＳ２１３０に続いて、フィードバック信号割当決定部１１０は、ｏｆｆｓｅｔ≧Ｚ（ｋ）であるか否かを判断する（ステップＳ２１３２）。フィードバック信号割当決定部１１０は、ｏｆｆｓｅｔ≧Ｚ（ｋ）でないと判断した場合（ステップＳ２１３２：Ｎｏ）、集合ｓｕに｛（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ），（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ＋１），・・・，（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ＋ＮＰ＿ｍｉｎ−１）｝の組み合わせを追加する（ステップＳ２１３４）。また、フィードバック信号割当決定部１１０は、ｎ＝ｎ＋１，ｏｆｆｓｅｔ＝０とする（ステップＳ２１３６）。そして、図１０に示すフローチャートは終了する。一方、フィードバック信号割当決定部１１０は、ｏｆｆｓｅｔ≧Ｚ（ｋ）であると判断した場合（ステップＳ２１３２：Ｙｅｓ）、ステップＳ２１３４を飛ばしてステップＳ２１３６を実行する。
【００７９】
一方、フィードバック信号割当決定部１１０は、ＵＥｕがＭＩＭＯをサポートしないと判断した場合（ステップＳ２１１６：Ｎｏ）、ソートした組み合わせのうち、最初の{ｎＰＵＣＣＨ（２），Ｎｐ，Ｎｏｆｆｓｅｔ，ＣＱＩ｝の組み合わせを選択する（ステップＳ２１３８）。次いで、フィードバック信号割当決定部１１０は、ｎＰＵＣＣＨ（２）（ｕ）＝選択した組み合わせに含まれるｎＰＵＣＣＨ（２）、Ｎｏｆｆｓｅｔ，ＣＱＩ（ｕ）＝選択した組み合わせに含まれるＮｏｆｆｓｅｔ，ＣＱＩとする（ステップＳ２１４０）。また、フィードバック信号割当決定部１１０は、選択した組み合わせを集合ｓｕから削除する（ステップＳ２１４２）。そして、図１０に示すフローチャートは終了する。
【００８０】
なお、フィードバック信号割当決定部１１０は、送信周期が２ｍｓと５ｍｓ以外の場合、図９および図１０に示すように、集合ｓｕが空集合であるときは、要素ｘ（ＰＵＣＣＨ  ｆｏｒｍａｔ２のｃｙｃｌｉｃ ｓｈｉｆｔ  ＩＤ）をインクリメントし、要素ｚ（利用可能な送信サブフレームのオフセット）を０とし、集合ｓｕが空集合でないときは、なるべく同じ要素ｘを使い、要素ｚにより対象ＵＥの送信タイミングを調整している。
【００８１】
続いて、図１１を用いて上記ステップＳ３００の処理の詳細を説明する。図１１において、フィードバック信号割当決定部１１０は、ＮＲＢ（２）＝ｃｅｉｌ（ｎ／ＮＳＣＲＢ）とする（ステップＳ３０２）。なお、ｃｅｉｌは小数点以下を切り上る関数、ｎは上記処理において累積したＰＵＣＣＨ  ｆｏｒｍａｔ２のｃｙｃｌｉｃ  ｓｈｉｆｔの値である。
【００８２】
次いで、フィードバック信号割当決定部１１０は、ＮＳＣＲＢＮＲＢ（２）−ｎ≧ｎＰＵＣＣＨ＿ｍａｒｇｉｎであるか否かを判断する（ステップＳ３０４）。なお、ｎＰＵＣＣＨ＿ｍａｒｇｉｎは、ＮＲＢ（２）を決定する際に考慮するＰＵＣＣＨ  ｆｏｒｍａｔ２のＩＤのマージンである。
【００８３】
フィードバック信号割当決定部１１０は、ＮＳＣＲＢＮＲＢ（２）−ｎ≧ＮＰＵＣＣＨ＿ｍａｒｇｉｎであると判断した場合（ステップＳ３０４：Ｙｅｓ）、ＮＣＳ（１）＝０とし、図１１に示すフローチャートは終了する。
【００８４】
一方、フィードバック信号割当決定部１１０は、ＮＳＣＲＢＮＲＢ（２）−ｎ≧ＮＰＵＣＣＨ＿ｍａｒｇｉｎでないと判断した場合（ステップＳ３０４：Ｎｏ）、ＮＣＳ（１）＝ΔｓｈｉｆｔＰＵＣＣＨ×ｆｌｏｏｒ｛（ＮＳＣＲＢ−２−（ＮＰＵＣＣＨ＿ｍａｒｇｉｎ−ＮＳＣＲＢＮＲＢ（２）＋ｎ））／ΔｓｈｉｆｔＰＵＣＣＨ｝とする（ステップＳ３０８）。次いで、フィードバック信号割当決定部１１０は、ＮＣＳ（１）＝０であるか否かを判断する（ステップＳ３１０）。フィードバック信号割当決定部１１０は、ＮＣＳ（１）＝０であると判断した場合（ステップＳ３１０：Ｙｅｓ）、ＮＲＢ（２）＝ＮＲＢ（２）＋１とし（ステップＳ３１２）、ステップＳ３０４に戻る。フィードバック信号割当決定部１１０は、ＮＣＳ（１）＝０でないと判断した場合（ステップＳ３１０：Ｎｏ）、図１１に示すフローチャートは終了する。
【００８５】
図１１のフローチャートに示すように、フィードバック信号割当決定部１１０は、基地局のＰＵＣＣＨ  ｆｏｒｍａｔ２に関するパラメータ、ＰＵＣＣＨ  ｆｏｒｍａｔ２の送信ＲＢ数ＮＲＢ（２）とＰＵＣＣＨ  ｆｏｒｍａｔ１と２の混在送信ＲＢの有無ＮＣＳ（１）を決定している。
【００８６】
なお、図１１に示すように、フィードバック信号割当決定部１１０は、対象ＵＥのＣＱＩ／ＲＩ／ＰＭＩ送信制御情報の決定処理で得られるＰＵＣＣＨ  ｆｏｒｍａｔ２のｃｙｃｌｉｃ  ｓｈｉｆｔの値（図１１の変数ｎに相当）から、必要なＰＵＣＣＨ  ｆｏｒｍａｔ２用ＲＢ数ＮＲＢ（２）を算出し、算出したＮＲＢ（２）を用いて、未割当ＰＵＣＣＨ  ｆｏｒｍａｔ２のｃｙｃｌｉｃ  ｓｈｉｆｔの数（即ち、ＮＳＣＲＢＮＲＢ（２）−ｎ）が入力情報制御部１００から取得したｎＰＵＣＣＨ＿ｍａｒｇｉｎ以上であれば、ＮＣＳ（１）を０とし、使われたＰＵＣＣＨ  ｆｏｒｍａｔ２のＩＤと集合ｓｕを保存して、全ての処理を終了する。一方、未割当のＰＵＣＣＨ  ｆｏｒｍａｔ２のＩＤの数が入力情報制御部１００から取得したｎＰＵＣＣＨ＿ｍａｒｇｉｎ未満である場合、ＰＵＣＣＨ  ｆｏｒｍａｔ１とＰＵＣＣＨ  ｆｏｒｍａｔ２をミックスして送信するＲＢを１つ増やし、ＮＣＳ（１）をＬ２／Ｌ３制御部（非図示）から取得したΔｓｈｉｆｔＰＵＣＣＨの整数倍となるように求める。求めた結果、ＮＣＳ（１）が０となれば、ＮＲＢ（２）＝  ＮＲＢ（２）＋１とする。
【００８７】
続いて、図１２を用いて上記ステップＳ６００の処理の詳細を説明する。図１２において、フィードバック信号割当決定部１１０は、ｎ＝０、ｏｆｆｓｅｔ＝０、ｋ＝１とし（ステップＳ６０２）、全ての対象ＵＥを含む集合Ｕａｌｌを設定する（ステップＳ６０４）。次いで、フィードバック信号割当決定部１１０は、ＣＱＩ送信周期ＮＰがＺ（ｋ）である対象ＵＥが存在するか否かを判断する（ステップＳ６０６）。
【００８８】
フィードバック信号割当決定部１１０は、ＣＱＩ送信周期ＮＰがＺ（ｋ）である対象ＵＥが存在すると判断した場合（ステップＳ６０６：Ｙｅｓ）、各対象ＵＥのＮｏｆｆｓｅｔ，ＣＱＩ（ｕ）およびｎＰＵＣＣＨ（２）（ｕ）の設定処理、および、集合ｓｕの更新処理を実行する（ステップＳ３０００）。なお、ステップＳ３０００の処理の詳細は、後述する（図１３）。
【００８９】
ステップＳ３０００に続いて、フィードバック信号割当決定部１１０は、集合ＵａｌｌからＮＰがＺ（ｋ）である対象ＵＥを取り除き（ステップＳ６１０）、集合Ｕａｌｌは空集合であるか否かを判断する（ステップＳ６１２）。フィードバック信号割当決定部１１０は、集合Ｕａｌｌは空集合であると判断した場合（ステップＳ６１２：Ｙｅｓ）、図１２に示すフローチャートは終了する。一方、フィードバック信号割当決定部１１０は、集合Ｕａｌｌは空集合でないと判断した場合（ステップＳ６１２：Ｎｏ）、ステップＳ６１４に進む。
【００９０】
一方、フィードバック信号割当決定部１１０は、ＣＱＩ送信周期ＮＰがＺ（ｋ）である対象ＵＥが存在しないと判断した場合（ステップＳ６０６：Ｎｏ）、ｋ＝ｋ＋１と更新し（ステップＳ６１４）、ｋ＞２であるか否かを判断する（ステップＳ６１６）。フィードバック信号割当決定部１１０は、ｋ＞２であると判断した場合（ステップＳ６１６：Ｙｅｓ）、「ＭＲＩ≠１，ＮＰ≠２  ｏｒ  ５」の処理を実行する（ステップＳ４０００）。そして、図１２に示すフローチャートは終了する。なお、ステップＳ４０００の処理の詳細は、後述する（図１４）。一方、フィードバック信号割当決定部１１０は、ｋ＞２でないと判断した場合（ステップＳ６１６：Ｎｏ）、ステップＳ６０６に戻る。
【００９１】
続いて、図１３を用いて上記ステップＳ３０００の処理の詳細を説明する。図１３において、フィードバック信号割当決定部１１０は、ＮＰがＺ（ｋ）である対象ＵＥをＩＤの昇順に選択する（ステップＳ３００２）。次いで、フィードバック信号割当決定部１１０は、集合ｓｕにＣＱＩ送信周期がＺ（ｋ）である組み合わせが存在するか否かを判断する（ステップＳ３００４）。
【００９２】
フィードバック信号割当決定部１１０は、集合ｓｕにＣＱＩ送信周期がＺ（ｋ）である組み合わせが存在すると判断した場合（ステップＳ３００４：Ｙｅｓ）、以下の選択基準で（ｎＰＵＣＣＨ（２），ＮＰ,Ｎｏｆｆｓｅｔ，ＣＱＩ）の組み合わせを１つ選択する（ステップＳ３００６）。
（選択基準）
第１キー：ｎＰＵＣＣＨ（２）の昇順
第２キー：Ｎｏｆｆｓｅｔ，ＣＱＩ
【００９３】
ステップＳ３００６に続いて、フィードバック信号割当決定部１１０は、ｎＰＵＣＣＨ（２）（ｕ）＝選択した組み合わせに含まれるｎＰＵＣＣＨ（２）、Ｎｏｆｆｓｅｔ，ＣＱＩ（ｕ）＝選択した組み合わせに含まれるＮｏｆｆｓｅｔ，ＣＱＩとすし（ステップＳ３００８）、選択した組み合わせを集合ｓｕから削除する（ステップＳ３０１０）。
【００９４】
一方、フィードバック信号割当決定部１１０は、集合ｓｕにＣＱＩ送信周期がＺ（ｋ）である組み合わせが存在しないと判断した場合（ステップＳ３００４：Ｎｏ）、ｏｆｆｓｅｔ＝ｏｆｆｓｅｔ＋１とし（ステップＳ３０１２）、ｎＰＵＣＣＨ（２）（ｕ）＝ｎ、Ｎｏｆｆｓｅｔ，ＣＱＩ（ｕ）＝０とする（ステップＳ３０１４）。
【００９５】
ステップＳ３０１４に続いて、フィードバック信号割当決定部１１０は、ｏｆｆｓｅｔ≧Ｚ（ｋ）であるか否かを判断する（ステップＳ３０１６）。フィードバック信号割当決定部１１０は、ｏｆｆｓｅｔ≧Ｚ（ｋ）でないと判断した場合（ステップＳ３０１６：Ｎｏ）、集合ｓｕに｛（ｎＰＵＣＣＨ（２）＝ｎ，ＮＰ＝Ｚ（ｋ），Ｎｏｆｆｓｅｔ，ＣＱＩ＝ｏｆｆｓｅｔ），（ｎＰＵＣＣＨ（２）＝ｎ，ＮＰ＝Ｚ（ｋ），Ｎｏｆｆｓｅｔ，ＣＱＩ＝ｏｆｆｓｅｔ＋１），・・・，（ｎＰＵＣＣＨ（２）＝ｎ，ＮＰ＝Ｚ（ｋ），Ｎｏｆｆｓｅｔ，ＣＱＩ＝ｏｆｆｓｅｔ＋Ｚ（ｋ）−１）｝の組み合わせを追加する（ステップＳ３０１８）。また、フィードバック信号割当決定部１１０は、ｎ＝ｎ＋１，ｏｆｆｓｅｔ＝０とする（ステップＳ３０２０）。一方、フィードバック信号割当決定部１１０は、ｏｆｆｓｅｔ≧Ｚ（ｋ）であると判断した場合（ステップＳ３０１６：Ｙｅｓ）、ステップＳ３０１８を飛ばしてステップＳ３０２０を実行する。
【００９６】
ステップＳ３０１０またはステップＳ３０２０に続いて、フィードバック信号割当決定部１１０は、ＵＥｕがＭＩＭＯをサポートするか否かを判断する（ステップＳ３０２２）。フィードバック信号割当決定部１１０は、ＵＥｕがＭＩＭＯをサポートすると判断した場合（ステップＳ３０２２：Ｙｅｓ）、Ｎｏｆｆｓｅｔ，ＲＩ（ｕ）＝０、ＭＲＩ（ｕ）＝ＵＥｕのＲＩ変動周期、Ｆａｐｅｒｉｏｄｉｃ（ｕ）＝１、Ｆｓｕｂｂａｎｄ‐ＣＱＩ（ｕ）＝０とする（ステップＳ３０２４）。一方、フィードバック信号割当決定部１１０は、ＵＥｕがＭＩＭＯをサポートしないと判断した場合（ステップＳ３０２２：Ｎｏ）、ステップＳ３０２４を実行しない。
【００９７】
フィードバック信号割当決定部１１０は、他の対象ＵＥについても同様の処理（ステップＳ３００２〜ステップＳ３０２４）を実行し、図１３に示すフローチャートは終了する。
【００９８】
続いて、図１４を用いて上記ステップＳ４０００の処理の詳細を説明する。図１４において、フィードバック信号割当決定部１１０は、ＮＰ＿ｍｉｎ＝対象ＵＥのＣＱＩ送信周期ＮＰの最小値とする（ステップＳ４００２）。次いで、フィードバック信号割当決定部１１０は、ＮＰがＮＰ＿ｍｉｎである対象ＵＥを選択し（ステップＳ４００４）、集合ｓｕが空集合であるか否かを判断する（ステップＳ４００６）。
【００９９】
フィードバック信号割当決定部１１０は、集合ｓｕが空集合であると判断した場合（ステップＳ４００６：Ｙｅｓ）、ｎＰＵＣＣＨ（２）（ｕ）＝ｎ、Ｎｏｆｆｓｅｔ，ＣＱＩ（ｕ）＝ｏｆｆｓｅｔとし（ステップＳ４００８）、ｏｆｆｓｅｔ＝ｏｆｆｓｅｔ＋１とする（ステップＳ４０１０）。次いで、フィードバック信号割当決定部１１０は、ＵＥｕがＭＩＭＯをサポートするか否かを判断する（ステップＳ４０１２）。フィードバック信号割当決定部１１０は、ＵＥｕがＭＩＭＯをサポートすると判断した場合（ステップＳ４０１２：Ｙｅｓ）、Ｎｏｆｆｓｅｔ，ＲＩ（ｕ）＝０、ＭＲＩ（ｕ）＝ＵＥｕのＲＩ変動周期、Ｆａｐｅｒｉｏｄｉｃ（ｕ）＝１、Ｆｓｕｂｂａｎｄ‐ＣＱＩ（ｕ）＝０とする（ステップＳ４０１４）。また、フィードバック信号割当決定部１１０は、ｏｆｆｓｅｔ≧ＮＰ＿ｍｉｎであるか否かを判断する（ステップＳ４０１６）。一方、フィードバック信号割当決定部１１０は、ＵＥｕがＭＩＭＯをサポートしないと判断した場合（ステップＳ４０１２：Ｎｏ）、ステップＳ４０１４を飛ばしてステップＳ４０１６を実行する。
【０１００】
フィードバック信号割当決定部１１０は、ｏｆｆｓｅｔ≧ＮＰ＿ｍｉｎでないと判断した場合（ステップＳ４０１６：Ｎｏ）、集合ｓｕに｛（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ），（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ＋１），・・・，（ｎＰＵＣＣＨ（２）＝ｎ，ＮＰ＝ＮＰ＿ｍｉｎ，Ｎｏｆｆｓｅｔ，ＣＱＩ＝ｏｆｆｓｅｔ＋ＮＰ＿ｍｉｎ−１）｝の組み合わせを追加する（ステップＳ４０１８）。また、フィードバック信号割当決定部１１０は、ｎ＝ｎ＋１，ｏｆｆｓｅｔ＝０とする（ステップＳ４０２０）。一方、フィードバック信号割当決定部１１０は、ｏｆｆｓｅｔ≧ＮＰ＿ｍｉｎであると判断した場合（ステップＳ４０１６：Ｙｅｓ）、ステップＳ４０１８を飛ばしてステップＳ４０２０を実行する。
【０１０１】
一方、フィードバック信号割当決定部１１０は、集合ｓｕが空集合でないと判断した場合（ステップＳ４００６：Ｎｏ）、「ＭＲＩ≠１」の処理を実行する（ステップＳ４１００）。なお、ステップＳ４１００の処理については、後述する（図１５）。
【０１０２】
フィードバック信号割当決定部１１０は、他の対象ＵＥについても同様の処理（ステップＳ４００２〜ステップＳ４０２０（またはステップＳ４１００））を実行し、その後、ＮＰがＮＰ＿ｍｉｎである対象ＵＥを集合Ｕａｌｌから取り除き（ステップＳ４０２４）、集合Ｕａｌｌは空集合であるか否かを判断する（ステップＳ４０２６）。フィードバック信号割当決定部１１０は、集合Ｕａｌｌは空集合でないと判断した場合（ステップＳ４０２６：Ｎｏ）、ステップＳ４００２に戻る。一方、フィードバック信号割当決定部１１０は、集合Ｕａｌｌは空集合であると判断した場合（ステップＳ４０２６：Ｙｅｓ）、図１４に示すフローチャートは終了する。
【０１０３】
続いて、図１５を用いて上記ステップＳ４１００を説明する。なお、図１５のステップＳ４１０２〜ステップＳ４１１４の各処理は、図９のステップＳ２１０２〜ステップＳ２１１４の各処理と同様であるため、説明を省略する。また、図１５のステップＳ４１１６〜ステップＳ４１２０の各処理は、図１０のステップＳ２１３６〜ステップＳ２１４０の各処理と同様であるため、説明を省略する。また、図１５のステップＳ４１２２およびステップＳ４１２４の各処理は、図１４のステップＳ４０１２およびステップＳ４０１４の各処理と同様であるため、説明を省略する。
【０１０４】
図１２〜図１５のフローチャートに示すように、フィードバック信号割当決定部１１０は、ＲＩフィードバックの送信サブフレームのオフセットにＣＱＩ／ＰＭＩ送信ｓｕｂｆｒａｍｅをセット（即ち、Ｎｏｆｆｓｅｔ，ＲＩ（ｕ）＝０と設定）し、ＭＲＩについては、物理制御層から取得したＲＩの値から、対象ＵＥ毎にＲＩの変動周期を求めている。そして、フィードバック信号割当決定部１１０は、求めたＲＩ変動周期に最も近いＣＱＩ／ＰＭＩ送信周期の規定の整数（整数＝｛２，４，８，１６，３２｝）倍を見つけ、その整数をＭＲＩとしている。即ち、フィードバック信号割当決定部１１０は、ＵＥ毎に推定したＲＩの変動周期をＣＱＩ／ＰＭＩ送信周期の｛２，４，８，１６，３２｝倍に丸めた値をＭＲＩ（ｕ）に設定している。また、フィードバック信号割当決定部１１０は、ＵＥｕがＰＵＳＣＨを用いて、Ａｐｅｒｉｏｄｉｃ−ＣＱＩを送信するＦａｐｅｒｉｏｄｉｃ（ｕ）＝１、ＵＥｕがＳｕｂｂａｎｄ−ＣＱＩを送信しないＦｓｕｂｂａｎｄ−ＣＱＩ（ｕ）＝０を設定している。
【０１０５】
続いて、図１６を用いて上記ステップＳ７００の処理の詳細を説明する。図１６において、フィードバック信号割当決定部１１０は、対象ＵＥのＮＰの最小値＝２であるか否かを判断する（ステップＳ７０２）。フィードバック信号割当決定部１１０は、対象ＵＥのＮＰの最小値＝２であると判断した場合（ステップＳ７０２：Ｙｅｓ）、ＮＰが２であるＵＥのＮＰを５と設定する（ステップＳ７０４）。一方、フィードバック信号割当決定部１１０は、対象ＵＥのＮＰの最小値＝２でないと判断した場合（ステップＳ７０２：Ｎｏ）、対象ＵＥのＮＰの最小値＝１６０であるか否かを判断する（ステップＳ７０６）。フィードバック信号割当決定部１１０は、対象ＵＥのＮＰの最小値＝１６０でないと判断した場合（ステップＳ７０６：Ｎｏ）、最小ＮＰのＵＥに対して、そのＮＰを２倍する（ステップＳ７０８）。ステップＳ７０４またはステップＳ７０８に続いて、フィードバック信号割当決定部１１０は、ＮＰが変更されたＵＥｕに対して、Ｆａｐｅｒｉｏｄｉｃ（ｕ）＝１、Ｆｓｕｂｂａｎｄ‐ＣＱＩ（ｕ）＝０を設定する（ステップＳ７１０）。そして図１６に示すフローチャートは終了する。
【０１０６】
一方、フィードバック信号割当決定部１１０は、対象ＵＥのＮＰの最小値＝１６０であると判断した場合（ステップＳ７０６：Ｙｅｓ）、Ｂｕｆｆｅｒ  Ｑｕｅｕｅ長の降順に、ＮＳＣＲＢ×ＮＲＢ（２）（ｍａｘ）のＵＥを選択し、対象ＵＥとし（ステップＳ７１２）、ｎＰＵＣＣＨ＿ｍａｒｇｉｎを０とする（ステップＳ７１４）。即ち、フィードバック信号割当決定部１１０は、例外処理として、ｎＰＵＣＣＨ＿ｍａｒｇｉｎを０とするとともに、ＵＥのＢｕｆｆｅｒにあるＱｕｅｕｅ長の降順に、ＮＳＣＲＢ×ＮＲＢ（２）（ｍａｘ）のＵＥを対象に、決定した送信パラメータを通知する。そして、上述のステップＳ４０００に進む。
【０１０７】
なお、図１７から図１９は、決定したＣＱＩ／ＰＭＩ／ＲＩフィードバック信号の割り当て情報の適用期間中に、新規にコネクションが張られたＵＥを対象に、ＣＱＩ／ＰＭＩ／ＲＩ送信制御情報を決定する動作である。フィードバック信号割当決定部１１０は、制御下に存在する既存のＵＥ用の送信パラメータを決定しているときに、新たなＵＥが制御下に加わった場合、新たなＵＥのＣＱＩ／ＰＭＩ送信周期よりも長いＣＱＩ／ＰＭＩ送信周期の組合せが存在し得るため、新たな組合せを生成することによって、既存のＵＥ用の送信パラメータに加えて新たなＵＥ用の送信パラメータも決定してもよい。
【０１０８】
具体的には、フィードバック信号割当決定部１１０は、既存の集合ｓｕのある組み合わせ内に、ＣＱＩ送信時間ｏｆｆｓｅｔ、Ｎｏｆｆｓｅｔ，ＣＱＩがＮＰ（ｕ）以下となっている組み合わせから、集合ｓｅｔ＿ｕｓｕａｂｌｅ（以下、「集合ｓｕ２」と表記）を新規に作成（生成）する。更に、集合ｓｕ２内に、ＣＱＩ送信周期ＮＰ（=ＴＷ３）がＮＰ（ｕ）より小さい組み合わせに対して、｛（ｎＰＵＣＣＨ（２），ＴＷ３，ＴＷ３＋Ｎｏｆｆｓｅｔ，ＣＱＩ），・・・，（ｎＰＵＣＣＨ（２），ＴＷ３，（（ＮＰ（ｕ）／ＴＷ３）−１）ＴＷ３＋Ｎｏｆｆｓｅｔ，ＣＱＩ）｝の組み合わせを追加する（ステップＳ９１４）。
【０１０９】
図１７のフローチャートに示すように、フィードバック信号割当決定部１１０は、集合ｓｕに組合せが存在する場合、割当するＵＥのＣＱＩ／ＰＭＩ送信周期によって、集合ｓｕにある組合せを以下のように選択する。
（１）割当ＵＥのＣＱＩ／ＰＭＩ送信周期が２ｍｓのとき、集合ｓｕにあるｙ＝５ｍｓの組合せを選択しない。
（２）割当ＵＥのＣＱＩ／ＰＭＩ送信周期が５ｍｓのとき、集合ｓｕにあるｙ＝２ｍｓの組合せを選択しない。
【０１１０】
なお、割当のＣＱＩ／ＰＭＩ送信周期がＮＰである場合、集合ｓｕにあるｙ＞ＮＰの組合｛ｘ，ｙ，ｚ｝を｛ｘ，ＮＰ，ｚ｝に変更した後、ｚ＞ＮＰの組合せを集合ｓｕから削除してもよい。また、集合ｓｕにあるｙ＜ＮＰの組合せの｛ｘ，ｙ，ｚ｝を｛ｘ，ＮＰ，ｚ｝に変更した後、それに対して、｛ｘ，ＮＰ，ｚ＋ｋＮＰ｝，ｋ＝１，２，…，  ＮＰ／ｙ−１の全ての組合せを集合ｓｕに追加してもよい。
【０１１１】
以上、本実施形態によれば、ＬＴＥのＣＱＩ／ＰＭＩ／ＲＩフィードバックに関する仕様（非特許公報文献1、２参照)に基づき、チャネル品質の時間変動、周波数変動に応じて、上記チャネル品質フィードバック信号を効率良く割り当てることができるようになる。具体的には、各ＵＥのＣＱＩ／ＰＭＩ／ＲＩフィードバック信号に係る最適な送信パラメータを決定することができるようになる。加えて、決定した送信パラメータ用いてＣＱＩ／ＰＭＩ／ＲＩフィードバック用基地局のリソース量を決定することができるようになる。
【０１１２】
なお、本発明の一実施形態による信号割当装置１０の各処理を実行するためのプログラムをコンピュータ読み取り可能な記録媒体に記録して、当該記録媒体に記録されたプログラムをコンピュータシステムに読み込ませ、実行することにより、本発明の一実施形態による信号割当装置１０の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１１３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１１４】
以上、この発明の実施形態について図面を参照して詳述してきたが、具体的な構成はこの実施形態に限られるものではなく、この発明の要旨を逸脱しない範囲の設計等も含まれる。
【符号の説明】
【０１１５】
１  信号割当装置  ２  ＵＥ（移動局端末）１０  信号割当装置  １００  入力情報制御部  １１０  フィードバック信号割当決定部  １２０  フィードバック信号受信部
【図１】
2011015023.tif 000003
【図２】
2011015023.tif 000004
【図３】
2011015023.tif 000005
【図４】
2011015023.tif 000006
【図５】
2011015023.tif 000007
【図６】
2011015023.tif 000008
【図７】
2011015023.tif 000009
【図８】
2011015023.tif 000010
【図９】
2011015023.tif 000011
【図１０】
2011015023.tif 000012
【図１１】
2011015023.tif 000013
【図１２】
2011015023.tif 000014
【図１３】
2011015023.tif 000015
【図１４】
2011015023.tif 000016
【図１５】
2011015023.tif 000017
【図１６】
2011015023.tif 000018
【図１７】
2011015023.tif 000019
【図１８】
2011015023.tif 000020
【図１９】
2011015023.tif 000021